(57)【要約】【課題】  天井下方から設置できる天井機器であっても一人施工によって設置をすることができると共に、天井が天井機器を吊下げる固着強度を補助的に補うことのできる天井機器の取付構造を提供する。【解決手段】  天井機器本体３１に設けた取付フランジ３２を天井１に固着して設置する天井機器の取付構造である。取付用開口部２の周縁の天井裏面に載設して且つ該取付用開口部２から下方に向けて突出する仮固定片４を設ける。仮固定片４に複数の係止部４２１を設け、該係止部４２１に係止されて且つ天井機器３の下方への移動を規制する被係止部３３を取付フランジ３２に設ける。そして、係止部４２１と被係止部３３とで形成される仮固定手段５によって前記複数の係止部４２１のうち任意の係止部４２１に被係止部３３を係止して仮固定すると共に、天井１と取付フランジ３２とを仮固定手段５とは別の本固定手段６で本固定した。【選択図】        図１
2010007926.tif 000002
【特許請求の範囲】
【請求項１】
天井に設けられた取付用開口部に天井機器本体を挿通して且つ天井の下面に天井機器本体に設けられた取付フランジを固着して設置される天井機器の取付構造であって、前記取付用開口部の周縁の天井裏面に載設されて且つ該取付用開口部から下方に向けて突出する仮固定片を設け、該仮固定片に複数の係止部を設け、該係止部に係止されて且つ天井機器の下方への移動を規制する被係止部を取付フランジに設け、係止部と被係止部とで形成される仮固定手段によって前記複数の係止部のうち任意の係止部に被係止部を係止して仮固定すると共に、天井と取付フランジとを仮固定手段とは別の本固定手段で本固定して成ることを特徴とする天井機器の取付構造。
【請求項２】
前記仮固定片は取付用開口部の周縁の天井裏面に設けられる固定用部材に固設され、該固定用部材に固着具が固着される固着部を設け、前記本固定手段は取付フランジと固定用部材と固着具とからなり、取付フランジと固着部とで固着具を用いて天井を挟持して本固定して成ることを特徴とする請求項１に記載の天井機器の取付構造。
【請求項３】
前記仮固定片は前記複数の係止部の全部又は一部に切断可能な切断可能部を形成して成ることを特徴とする請求項１又は請求項２に記載の天井機器の取付構造。
【発明の詳細な説明】
【技術分野】
【０００１】
本発明は、天井に設置される天井機器の取付構造に関するものである。
【背景技術】
【０００２】
従来から、換気機器のような天井機器を天井に設置するものとして、例えば浴室換気乾燥機を浴室天井に設置するものが知られている。例えば図４に示すように、箱状の浴室換気乾燥機３ａの下部周縁に鍔状に形成された取付フランジ３２ａを、天井１１に設けられた開口部の周縁上（即ち天井の上面）に載置し、その後に固着具８を用いて天井に固設して設置するものである。なお図中の符合３４は浴室換気乾燥機３ａの前面（浴室側の面）を覆う機器カバーを示している。
【０００３】
この天井１１の上面に載置して設置する浴室換気乾燥機３ａは、該浴室換気乾燥機３ａの重量をすべて天井１１上面で支持することができるため、浴室換気乾燥機３ａの水平方向への移動さえ規制すれば、浴室換気乾燥機３ａ自体の落下の可能性はほとんどなく安全面では利点を有する。しかしながら、該浴室換気乾燥機３ａのメンテナンスや据付並びに交換時においては、浴室内から作業することができず天井裏から作業する必要があり、このような天井裏の作業は作業スペースが狭く作業性が悪いという問題がある。その上、天井１１に設けられた開口部の切断面Ａが、該浴室換気乾燥機３ａを設置した後であっても浴室内に露出するため、錆等が発生し易い。そのため、該切断面Ａには防水・防錆処理や剥がれを防止するための処理が必要となり非常に手間となる、という問題がある。
【０００４】
そこで、浴室内から設置できる浴室換気乾燥機として、例えば特許文献１のものが知られている。この特許文献１には、図５に示すように、天井機器として浴室換気乾燥機３ａを浴室の天井１１の裏面に設置するものであり、箱状の浴室換気乾燥機３ａ本体を天井１１裏面に収容し且つ、浴室換気乾燥機本体３１ａの側面下方に全周に亘って設置された取付フランジ３２ａの上面を、浴室の天井下面に当接して固着具８を用いて設置している。
【特許文献１】特開２００４−３４０４３８号公報
【発明の開示】
【発明が解決しようとする課題】
【０００５】
ところで、この浴室換気乾燥機３ａを浴室内から設置するものにあっては、浴室内から該浴室換気乾燥機３ａを交換したり据付したりできるためメンテナンス性に優れる上に、取付フランジ３２ａによって取付用開口部２が閉塞されて該切断面Ａは露出しないようになっており、前述の天井上方から設置するものに比べてこの点においては優れている。しかし、この浴室換気乾燥機３ａを浴室の天井１１に設置するに当たっては、天井１１に設けられた矩形状の取付用開口部２に浴室換気乾燥機本体３１ａを挿通して、且つ浴室換気乾燥機３ａの下部に設けられた取付フランジ３２ａの上面を天井下面に当接して設置する際に、該浴室換気乾燥機３ａを浴室内から天井１１に向かって持ち上げて支持すると共に、該取付フランジ３２ａを天井１１下面に下方から押し当てた状態を維持しつつ、天井１１に固着具８を用いて設置する必要があるものであった。
【０００６】
特に、一般的に浴室換気乾燥機といった天井機器は重量があるものが多く、このような浴室換気乾燥機３ａを天井に設置するに際しては、いわゆる一人施工が困難であるため、一人が浴室換気乾燥機３ａを支持しつつもう一人が固着作業を行なう等といったように複数人で設置作業を行なう必要があり、作業工数が嵩んでしまう問題を有していた。その上、固着具８の引抜き強度のみで浴室換気乾燥機３ａの重量を支えている（吊り下げている）ため、安全面においても不安がある、という問題も有していた。
【０００７】
本発明は、上記従来の問題に鑑みてなされたものであり、その目的とするところは、天井下方から設置できる天井機器であっても一人施工によって設置をすることができると共に、天井が天井機器を吊下げる固着強度を補助的に補うことのできる天井機器の取付構造を提供することにある。
【課題を解決するための手段】
【０００８】
上記課題を解決するために請求項１に係る発明にあっては、天井１に設けられた取付用開口部２に天井機器本体３１を挿通して且つ天井１の下面に天井機器本体３１に設けられた取付フランジ３２を固着して設置される天井機器の取付構造であって、前記取付用開口部２の周縁の天井裏面に載設されて且つ該取付用開口部２から下方に向けて突出する仮固定片４を設け、該仮固定片４に複数の係止部４２１を設け、該係止部４２１に係止されて且つ天井機器３の下方への移動を規制する被係止部３３を取付フランジ３２に設け、係止部４２１と被係止部３３とで形成される仮固定手段５によって前記複数の係止部４２１のうち任意の係止部４２１に被係止部３３を係止して仮固定すると共に、天井１と取付フランジ３２とを仮固定手段５とは別の本固定手段６で本固定して成ることを特徴とするものである。
【０００９】
このように構成したことで、天井下方から天井に天井機器を設置するに当たって、一人施工によるものであっても容易に天井機器を天井に設置することができ、本固定のみならず仮固定によっても天井に固着するようになっているから、本固定の固着強度に加えて仮固定手段による固着が補助的に働くことになる。更に、仮固定片に複数の係止部を設けるような構成によれば、任意の係止部に係止させることで様々な厚みの天井に対応することができ、どのような天井であっても天井機器を所定の位置に仮固定することができる。
【００１０】
また、請求項２に係る発明にあっては、請求項１に係る発明において、前記仮固定片４は取付用開口部２の周縁の天井１裏面に設けられる固定用部材７に固設され、該固定用部材７に固着具８が固着される固着部９を設け、前記本固定手段６は取付フランジ３２と固定用部材７と固着具８とからなり、取付フランジ３２と固着部９とで固着具８を用いて天井１を挟持して本固定して成ることを特徴とするものである。
【００１１】
このように構成したことで、固定用部材を取り付けるだけで簡単に仮固定片を設置できる上に、該固定用部材が本固定手段の一部材を成すため、部品点数を減らすことができる。
【００１２】
また、請求項３に係る発明にあっては、請求項１又は請求項２に係る発明において、前記仮固定片４は前記複数の係止部４２１の全部又は一部に切断可能な切断可能部４２３を形成して成ることを特徴とするものである。
【００１３】
このように構成したことで、天井機器の下方に機器カバーを設けるような場合であっても、仮固定した際に生ずる余剰分の仮固定片が該機器カバーに干渉する部位を切断するだけで、該カバーを天井機器に装着することができるので、該余剰分の長さに影響されず機器カバーを取り付けることが可能である。要するに、仮固定片を長く形成しておくことができるので、各種の天井の厚みに対応することが可能となり、天井厚みに応じた仮固定片を用意する必要はなく在庫管理も容易となる。
【発明の効果】
【００１４】
本発明によれば、天井に天井機器を設置するにあたって、簡単に一人施工ができる上に、本固定に加えて固着強度を補うことができるので、作業工数の削減に資するのみならず、天井機器の設置不良や固着強度不足による落下等の危険も防ぐことができるものである。
【発明を実施するための最良の形態】
【００１５】
以下、本発明について添付図面に基づいて説明する。
【００１６】
本発明の天井機器の取付構造一例として、浴室の天井１１に設置する天井機器３について、天井機器３を浴室換気乾燥機３ａとして、以下説明する。
【００１７】
本発明の実施例として、図３に示すように、浴室天井１１に浴室内から浴室換気乾燥機３ａを設置するものであり、詳しくは、浴室天井１１に形成された略矩形状の取付用開口部２に浴室内から上方に向けて浴室換気乾燥機本体３１ａを挿通すると共に、該浴室換気乾燥機３ａの下部周縁に設けられた取付フランジ３２ａを天井１１下面に固着して、該浴室換気乾燥機３ａが天井１１に設置される。この固着をするに際して、本発明は、本固定のみならず仮固定がなされている。なお、この天井１１に設置された浴室換気乾燥機３ａからは、送風のためのダクト（図示なし）や電気配線（図示なし）を浴室天井裏に這わせて設置している。
【００１８】
浴室の天井１１には、浴室換気乾燥機本体３１ａが挿通できる程度の大きさに形成された平面視略矩形状の取付用開口部２が形成されており、該取付用開口部２の周縁の天井１１裏面（即ち、天井１１上面）には平面視略ロ字状を成す枠状の固定用部材７が設置されており、詳しくは、図１に示すように、断面において、取付用開口部２の切断面Ａと固定用部材７の枠内側の内面７２（即ち取付用開口部側の側面）が略面一状になるように設置されており、該固定用部材７は天井１１裏面に接着剤や両面テープ等によって貼着されている。
【００１９】
この固定用部材７は、図１に示すように、取付用開口部２側（即ち、枠内側）にはインシュロック（登録商標）のような樹脂製の切断可能な部材によって形成される仮固定片４が固設される。固定用部材７の取付用開口部２側とは反対側（即ち、枠外側）には、固着具挿通孔７１が上下方向に穿設されると共に、該固着具挿通孔７１の上方且つ固定用部材７の上面には後述する本固定手段６の一部材を成す固着部９としてのナット９ａが固設されている。
【００２０】
この仮固定片４は、固定用部材７に載置して仮固定片用固着具Ｂによって固設される載設部４１と、該載設部４１から屈曲して形成される仮固定片本体４２とから成っており、該仮固定片本体４２は、仮固定片本体４２の上下方向に並設して形成される複数の係止部４２１と、係止部４２１の形成されていない先端部４２２とから構成され、仮固定片４全体としては断面略Ｌ字形状を成している。上述の通りこの載設部４１が固定用部材７に固設されると共に、先端部４２２が浴室内に臨むように（即ち下方に臨むように）設置されており、取付用開口部２から浴室内に向けて突出するようになっている。各係止部４２１は先端ほど細くなるような三角形状にて形成されているが、詳しくは、係止部４２１は三角形状のうち下方に位置する押込側斜辺４２１ｂと上方に位置する係止側斜辺４２１ａとで形成されており、押込側斜辺４２１ｂのほうが係止側斜辺４２１ａに比べて仮固定片本体４２と成す角度が緩くなっており、係止側斜辺４２１ａは水平よりも僅かに傾斜を有している。このような係止部４２１は、後述する浴室換気乾燥機３ａに設けられた取付フランジ３２ａに備える被係止部３３を係止し（詳しくは係止側斜辺４２１ａに被係止部３３が係止される）、該浴室換気乾燥機３ａの下方への移動を規制するようになっている。
【００２１】
天井１１上面に収容される箱状の浴室換気乾燥機３ａは、浴室換気乾燥機本体３１ａの下方縁辺から全周に亘って水平方向に向けて突設した取付フランジ３２ａが形成される。取付フランジ３２ａには、前記係止部４２１に係止される被係止部３３が取付フランジ３２ａの上下方向に貫通するように設けられており、更に、該被係止部３３と固着具挿通孔３５が並設されており、被係止部３３と略平行するように貫設されている。
【００２２】
このように形成された浴室換気乾燥機３ａを浴室天井１１に取り付ける場合について説明する。
【００２３】
浴室天井１１に設けられた略矩形状の取付用開口部２の縁辺から浴室内に伸び出している仮固定片４（本実施形態では４箇所）の先端部４２２を、浴室換気乾燥機３ａの取付フランジ３２ａに設けられた各被係止部３３に挿通する。この仮固定片４の先端部４２２には係止部４２１が形成されていないので、浴室換気乾燥機３ａが該仮固定片４に係止される前に、取付フランジ３２ａの下方から該先端部４２２が突出する。この先端部４２２を摘んで下方に向けて引張った状態を維持しながら、浴室換気乾燥機３ａを上方に持ち上げることで、仮固定片本体４２に設けられた複数の係止部４２１が形成されている部位に被係止部３３が移動するので、該被係止部３３が複数あるうちの任意の係止部４２１に引掛って係止されることになり、該浴室換気乾燥機３ａが落下しない状態となる。
【００２４】
この取付作業を浴室天井１１の取付用開口部２から突出した仮固定片４すべてについて行うことで（本実施形態では４箇所）、作業者は浴室換気乾燥機３ａを下方から支持する状態から解放される。続けて浴室換気乾燥機３ａを上方に押し上げるのであるが、仮固定片４がガイドの役割も果たすので、簡単に該浴室換気乾燥機本体３１ａを天井１１に設けられた取付用開口部２に挿通することができる。更に、浴室換気乾燥機３ａの下部に設けられた取付フランジ３２ａの上面に天井１１の下面が当接するまで該浴室換気乾燥機３ａを押し上げることで、仮固定が完了する。
【００２５】
なお、天井１１の下面が浴室換気乾燥機３ａの取付フランジ３２ａに当接した後に、再度仮固定片４を下方に向けて引張ると共に、浴室換気乾燥機３ａを上方に押し付けるようにすることが望ましい。このようにすることで、天井面と浴室換気乾燥機３ａの取付フランジ３２ａとの密着度が増し、天井裏への湿気の漏れを防ぐことができ、その上、本固定による固着強度を補うようにすることができる。なお、天井１１の下面と取付フランジ３２ａの上面との当接面にパッキン材を挟持させることで、天井裏への浴室内部からの湿気の漏れを更に防ぐことができる。
【００２６】
係止部４２１と被係止部３３とから成る仮固定手段５によって天井１１と浴室換気乾燥機３ａとを仮固定した後は、該天井１１と浴室換気乾燥機３ａとを本固定手段６によって本固定することで設置が完了する。本固定手段６は、浴室換気乾燥機３ａに設けられた取付フランジ３２ａと、天井１１裏面に設けられた固定用部材７と、該固定用部材７に螺合する固着具８とから成り、取付フランジ３２ａの下方から（即ち浴室内部から）取付フランジ３２ａに設けられた固着具挿通孔３５に固着具８を挿通し、天井１１に穿設された取付孔１２を通過して、固定用部材７に設けられた固着部９としてのナット９ａに螺合される。このようにして固着具８を強く螺合させて、取付フランジ３２ａと固定用部材７とで天井１１を挟持させることにより浴室換気乾燥機３ａが設置され、本固定が完了する。
【００２７】
浴室換気乾燥機３ａの設置後には、取付フランジ３２ａの下方から余剰分の仮固定片４が突出しているので、このままでは、該余剰分の仮固定片４に干渉して浴室換気乾燥機３ａの機器カバー３４が設置できないが、該仮固定片４はニッパ等の工具によって切り落とし可能な樹脂によって形成されているため、この余剰分の仮固定片４を切断することができる。このように、浴室換気乾燥機３ａの取付フランジ３２ａ下面から突出した仮固定片４の取付フランジ３２ａからの突出基部近傍を切断可能部４２３として切断することで、機器カバー３４との干渉を回避できるので、該機器カバー３４を容易に装着することができる。
【００２８】
このように設置された浴室換気乾燥機３ａは、メンテナンス時や交換時には、以下のように取り外すことができる。
【００２９】
まず、浴室に面して設置してある機器カバー３４を取り外し、浴室換気乾燥機３ａを固着する固着具８を螺退させて取り外す。この固着具８を取り外しただけの状態では、未だ仮固定手段５によって浴室換気乾燥機３ａが天井１１に設置されたままであるが、浴室換気乾燥機３ａを両手で掴んで下方に引っ張ることで該浴室換気乾燥機３ａを仮固定片４から取り外すことができる。該係止部４２１と被係止部３３との係止状態は、被係止部３３に所定の負荷を付与すれば係止が外れるようになっており、詳しくは、本実施形態の係止部４２１は取付用開口部２から延出するすべての係止部４２１によって（本実施形態では４箇所）浴室換気乾燥機３ａの重量（本実施形態では、１０ｋｇ程度）を支持することができるものであるが、該浴室換気乾燥機３ａの重量以上の負荷を与えれば、該係止部４２１が弾性変形しつつ係止側斜辺４２１ａが僅かな傾斜を有しているのも相乗的に作用して、該係止側斜辺４２１ａ上を被係止部３３が移動し、係止状態が解除されるようになっている。本実施形態の係止部４２１は、ある程度の弾性を有する樹脂によって形成されているため、このように負荷を与えることで係止が解除できるのである。
【００３０】
このようにして、下方に引っ張ることで、浴室換気乾燥機３ａを浴室の天井１１から取り外すことができ、容易に交換等が行なえることになる。なお、仮固定片４は最初の据え付け後に既に切り落とした状態となっているため、再度浴室換気乾燥機３ａを設置する際には使用することができないが、該仮固定片４は仮固定片用固着具Ｂによって着脱自在に形成されているので、この仮固定片４を簡単に交換することができ、改めて浴室換気乾燥機３ａを取付ける際にも、上記の手順によって、同様に一人施工が行なうことが可能である。
【００３１】
なお、仮固定片４を固定用部材７を用いることなく直接天井１１裏面に載設しても同様に効果が得られるものではあるが、添付図面に示す本実施形態のように、仮固定片４を枠状の固定用部材７の上面に載設すれば、仮固定によって天井１１の裏面に直接負荷される荷重を固定用部材７の全面に亘って分散できると共に、本固定によって天井１１の裏面に直接負荷される荷重をも固定用部材７の全面に亘って分散することができるので、取付用開口部２に必要な補強材としての効果も同時に得ることができる。その上、図１及び図２に示すように、板厚が厚い天井であっても薄い天井であっても仮固定片４が浴室内に向けて突出するように形成するものであればよく、つまり仮固定片４は厚みのある天井を考慮した長さに仮固定片４の長さを形成すれば厚みの薄い天井にも対応し得るので、厚みのある天井に対応し得る長さの仮固定片４を製造すればよい。従って、固定用部材７や仮固定片４において天井の厚みに応じたものを各種用意する必要もなく、同一形状のもので様々なタイプの天井に適用できて在庫管理が容易となる。
【００３２】
以上、天井１に設けられた天井機器３の一例として、浴室天井１１に設けられた浴室換気乾燥機３ａに基づいて本発明を説明したが、通常の部屋に設けられる天井機器３としての換気設備においても本発明は適用することができる。また、固定用部材７に設けた固着部９としてのナット９ａは、固定用部材７に雌ねじを螺設したものであってもよく、特に限定されるものではない。
【００３３】
上記実施例では、仮固定片４は樹脂で成形されているため係止部４２１全体において切断可能な切断可能部４２３となっているが、仮固定片４の係止部４２１の一部分を切断可能部４２３とするものであってもよい。なお、仮固定片４は樹脂製のものに特に限定されない。
【図面の簡単な説明】
【００３４】
【図１】本発明の一実施形態の要部側断面図である
【図２】同上の天井の厚みが厚い場合を説明するための要部側断面図である。
【図３】同上の天井上面からの分解斜視図である。
【図４】従来例の概略側面図であり、天井上方から設置する天井機器の取付構造を説明するための図である。
【図５】従来例の概略側面図であり、天井下方から設置する天井機器の取付構造を説明するための図である。
【符号の説明】
【００３５】
１        天井
１１      浴室天井
１２      取付孔
２        取付用開口部
３        天井機器
３ａ      浴室換気乾燥機
３１      天井機器本体
３１ａ    浴室換気乾燥機本体
３２      天井機器の取付フランジ
３２ａ    浴室換気乾燥機本体の取付フランジ
３３      被係止部
３４      機器カバー
３５      固着具挿通孔
４        仮固定片
４１      載設部
４２      仮固定片本体
４２１    係止部
４２１ａ  係止側斜辺
４２１ｂ  押込側斜辺
４２２    先端部
４２３    切断可能部
５        仮固定手段
６        本固定手段
７        固定用部材
７１      固着具挿通孔
７２      枠内面
８        固着具
９        固着部
９ａ      ナット
Ａ        開口部の切断面
Ｂ        仮固定片用固着具
【図１】
2010007926.tif 000003
【図２】
2010007926.tif 000004
【図３】
2010007926.tif 000005
【図４】
2010007926.tif 000006
【図５】
2010007926.tif 000007